(57)【要約】      （修正有）【課題】シールド板が顔の正面に接しないように安定して保持できる頭部着用フェイスシールドを提供する。【解決手段】フェイスシールド１はプラスチック製のシールド板２と保持具３から成り、シールド板は両側端から連結部５を延ばすと共に連結部には複数の係合穴を設け、保持具は弾力性のある樹脂製で概略Ｕ型を成し、先端部には係合突片を設けて側部から中央部にかけて下方に湾曲し、係合突片を連結部の係合穴に係合する。【選択図】図１
0003230024.tif 000002
【実用新案登録請求の範囲】
【請求項１】
顔の正面にシールド板を備えて頭部に着用するフェスシールにおいて、フェイスシールドは透明又は半透明な薄いプラスチック製のシールド板と保持具から成り、シールド板は両側端から連結部を延ばすと共に該連結部には複数の係合穴を設け、保持具は弾力性のある樹脂製又はβチタンやステンレスなどの金属製で概略Ｕ型を成し、先端部には複数の係合突片を設けて側部から中央部にかけて下方に湾曲し、上記係合突片を連結部に貫通して設けた係合穴に係合したことを特徴とするフェイスシールド。
【請求項２】
上記保持具は中央部にて分離可能な構造とし、各々の切口部には互いに引き合うマグネットを取付けた請求項１記載のフェイスシールド、
【請求項３】
上記係合穴は、先端部に設けた係合突片が嵌る嵌入穴と、係合突片が外れない寸法の係合長穴を該嵌入穴に連続して形成した請求項１、又は請求項２記載のフェイスシールド。
【考案の詳細な説明】
【技術分野】
【０００１】
他人と接する際に装着して、飛沫を防止することが出来るフェイスシールドに関するものである。
【背景技術】
【０００２】
今年に入って新型コロナウィルスが流行し、マスクを着用するのみならず、顔の正面を覆うことが出来るフェイスシールドを着用するする人も多い。特に接客を業とするデパート、スーパーマーケット、銀行などの店員はフェイスシールドを着用して飛沫防止を図っている。これらの業種の人は客と話す機会が多く、マスクを着用したのでは話しにくいが、フェイスシールドであれば話がし易く、しかも飛沫を防ぐ効果がある。
【０００３】
ところで、従来の一般的なフェイスシールドは図７に示すように、透明なプラスチック製シールド板（イ）にバンド（ロ）を取付けた構造としている。したがって、バンド（ロ）を頭部に嵌めて着用することで、シールド板（イ）は顔の正面を覆うことが出来る。バンド（ロ）は伸縮性のゴムバンドとすることで、頭部のサイズが変わっても嵌り、安定して着用することが可能となる。
また、上記バンド（ロ）に代わってシールド板（イ）の両側にテンプルを取付けると共に、中央部には鼻当てパットを設け、眼鏡（メガネ）を掛ける場合と同じように使うことが出来るように構成したフェイスシールドも知られている。
【０００４】
前記図７に示すようなバンド付きフェイスシールドを長時間にわたって着用する場合、頭部を締め付けることで額には跡が付き、また、化粧が剥がれ落ちてしまう。その為に、女性にとっては大きな問題となる。男性の場合には額の締め付け跡を気にする人は少ないであろうが、常に頭部が締め付けられることで、圧迫感が生じる。
【０００５】
従来において、顔の正面を覆うことが出来る機能を備えたフェイスシールドに関する文献も色々知られている。例えば、特開２０１６−１２３６９２号に係る「シールド付きマスク」は、マスクにアイシールドを取り付けたシールド付きマスクであり、着用状態でアイシールドと顔面との間の空間で、マスクから漏れ出た呼気の換気が容易に行われ、かつ簡便に製造できるように成っている。
すなわち、口及び鼻を覆うマスクの上部に、透明プラスチックで形成されたアイシールドが取り付けられている。マスクを平面に載置した場合に、アイシールドの幅方向中央部が、下端から上端にかけて平面から漸次浮き上がる。
【０００６】
特開２０２０−７３７５２号に係る「シールド及び目元保護方法」は、取り扱いの利便性を向上することができるシールド及び目元保護方法である。
すなわち、不織布マスクを装着する使用者の目元を保護するシールドであって、シールドの下縁部側に形成され、不織布マスクに重ね合わせられると共に、不織布マスクに取り付けられる取付部と、シールドの上縁部側に形成され、使用者の目元を保護可能な目元保護部とを備え、取付部には、不織布マスクに着脱可能に固定される連結部が形成されている。
【特許文献１】特開２０１６−１２３６９２号に係る「シールド付きマスク」
【特許文献２】特開２０２０−７３７５２号に係る「シールド及び目元保護方法」
【考案の開示】
【考案が解決しようとする課題】
【０００７】
このように、従来から顔の正面を覆うことが出来るフェイスシールドは知られているが、従来のフェイスシールドには上記の問題がある。
本考案が解決しようとする課題はこれら問題点であり、着用するシールド板が顔の正面に接しないように安定して保持することが出来るフェイスシールドを提供する。
【課題を解決するための手段】
【０００８】
本考案のフェイスシールドはシールド板と保持具で構成され、該シールド板は薄いプラスチック製の透明板、保持具は概略Ｕ型を成して両先端部には複数の係合突片を設けている。そして、上記シールド板の両側部には複数個の係合穴が貫通して設けられ、この係合穴に上記保持具先端部に形成した係合突片が係合して取付けられる。
【０００９】
上記シールド板の具体的な形状は限定しないが、顔の正面から側面にかけての領域を覆うことが出来る大きさとし、両側部には連結部を延ばし、該連結部に複数の係合穴を設けることが出来る。
そして、保持具は弾力性に優れた樹脂製又はβチタンやステンレスなどで構成され、その形状は概略Ｕ型であって、頭部の両側面から後頭部下側にかけて拘束する形状としている。
【００１０】
保持具を頭部に着用した場合、係合突片を設けている先端部からほぼ水平に延びて耳の上側に位置し、耳を通過した位置から下方へ湾曲し、後頭部にて互いに交わる。したがって、薄いプラスチック製のシールド板であっても、先端部には荷重が下方へ働き、保持具は耳に載って支持され、中央部は後頭部下側に係止することで安定する。よって先端側のシールド板が降下することはない。
【考案の効果】
【００１１】
本考案に係るフェイスシールドは、着用するならばシールド板が顔の正面を覆うことが出来、空中を浮遊する飛沫から保護され、また、自らが咳をして発す飛沫の周囲への拡散を防止することが出来る。
そして、本考案のフェイスシールドは着用しても顔面に接することはなく、その為に顔の化粧が剥がれ落ちたり、顔面が赤く変色することもない。また、長時間にわたって着用していても息苦しさを感じることもない。
すなわち、シールド板に鼻当てパットはなく、鼻に載って支えていないが、保持具は頭部側面に接すると共に耳に載って支持され、中央部は後頭部下側に係止することで安定し、先端側のシールド板が降下しないようにしている。
【図面の簡単な説明】
【００１２】
【図１】本考案のフェイスシールドを着用した場合。
【図２】フェイスシールドを構成する保持具の具体例。
【図３】保持具の先端部を表す拡大図。
【図４】シールド板の連結部を示す拡大図。
【図５】フェイスシールドを構成する保持具の他の具体例。
【図６】シールド板の形態を示す具体例。
【図７】従来の一般的なフェイスシールド。
【考案を実施するための形態】
【００１３】
図１は本考案に係るフェイスシールド１を着用した場合を示し、フェイスシールド１は透明な薄いプラスチック製のシールド板２と保持具３とで構成している。
（ａ）は斜め正面図、（ｂ）は側面図であって、顔正面とシールド板２との空間４が大きな場合、（ｃ）も側面図であって、顔正面とシールド板２との空間４が小さい場合をそれぞれ表している。
【００１４】
上記シールド板２はその厚さが薄いことで滑らかに湾曲して顔になじみ、顔の正面及び側面にかけての領域を覆うことが出来る。ただし、該シールド板２の具体的な形状は限定しない。
このシールド板２の側端には連結部５が延び、この連結部５に保持具３の先端部が連結している。
【００１５】
図２は上記保持具３を示す具体例であり、（ａ）は平面図、（ｂ）は正面図、（ｃ）は側面図、（ｄ）は斜視図をそれぞれ表している。該保持具３は弾力性を有す断面が概略長方形の帯状線材で構成され、その形状は概略Ｕ型としている。
図２に示している概略Ｕ型の保持具３は頭部６に着用していない状態の形態であって、両先端部側の間隔は小さく（狭く）なっており、着用することで拡大して広がる。したがって、頭部６が嵌って拡張することで弾性変形し、その結果、反力として頭部６の側面には適度な圧接力が作用する。
【００１６】
保持具３は概略Ｕ型を成していて、中央部８と該中央部８の両側には連続して延びる側部９，９を有している。そして、側部９，９の先端部７，７には２個の係合突片１０ａ，１０ｂが所定の間隔をおいて突出している。
図３は保持具先端部７の拡大図を表しているが、係合突片１０ａ、１０ｂは先端部７との間に軸１２を介して隙間１１を有している。ここで、係合突片１０の外径は大きく、軸１２の径は小さく成っている。
【００１７】
図４はシールド板２の側端から延びる連結部５を示す拡大図である。該連結部５には複数の係合穴１２，１２・・・が貫通して設けられ、該係合穴１２は嵌入穴１３と係合長穴１４から成り、これら嵌入穴１３と係合長穴１４は連通している。
ところで、嵌入穴１３は保持具３の先端部７に形成している係合突片１０が嵌る大きさとし、係合長穴１４は軸１２は嵌るが係合突片１０は嵌らない寸法と成っている。
そして、隣り合う係合穴１２，１２・・・の間隔Ｌは、係合突片１０ａ，１０ｂの間隔Ｌと同じ寸法としている。
【００１８】
シールド板２に保持具３を取付ける場合、先端部７に設けている２個の係合突片１０ａ，１０ｂを、連結部５に設けている嵌入穴１３，１３に嵌入し、同時に先端部７を移動して軸１２，１２を係合長穴１４，１４に係合する。従って、係合突片１０ａ，１０ｂは係合長穴１４，１４から外れることはなく、該保持具３とシールド板２は連結される。
【００１９】
前記図１はフェイスシールド１を頭部に着用した状態を示しているが、自分の好みに応じてシールド板２の位置を調整して着用できる。
すなわち、シールド板２の連結部５には３個の係合穴１２，１２・・・が設けられ、その為に、保持具３の先端部７に形成した２個の係合突片１０ａ，１０ｂが係合する係合穴１２，１２・・・を適当に選択して取付けることが出来る。
図１（ｂ）に示すようにシールド板２と顔正面との間に形成される空間４を大きくしたり、また、（ｃ）に示すように、シールド板２と顔正面との間に形成される空間４を小さくすることができる。
【００２０】
このように、本考案に係るフェイスシールド１は保持具３を介してシールド板２を顔の正面に所定の空間を設けて着用することが出来る。
該保持具３は円弧状に湾曲した中央部８と、その両側に連続して延びる側部９，９を有しているが、頭部６に着用した場合には図１に示すように、中央部８は後頭部下側に位置し、側部９は耳１５の上側に載置される。
【００２１】
薄いプラスチック製のシールド板２は軽いが、着用した場合に降下しないように、保持具３はその先端部７，７が両耳１５，１５に載置されると共に、中央部８が後頭部下側に係止する。
その為に、前記図２に保持具３を表しているように、円弧状に湾曲している中央部８は、先端部７を過ぎると側部９の途中から下方へ湾曲して延びている。したがって、着用した場合には中央部８は後頭部下側に位置し、該中央部８は浮上にないように後頭部下側に係止する。
【００２２】
図５は保持具１６を示す他の実施例である。全体の形状は図２に表している保持具３と同じであるが、図５に示す保持具１６は円弧状に湾曲している中央部１７にて分離可能な構造としている。
すなわち、分離する一方には凸部１８を形成し、他方には凹部１９を形成して凸部１８は凹部１９に篏合することが出来る。そして、互いに連結した場合に外れないように、凸部１８及び凹部１９には互いに引き合うマグネット２０，２０が取付けられている。
【００２３】
ところで、本考案のフェイスシールド１を頭部６に着用する場合、図２に示す保持具３を備えたフェイスシールド１であれば、保持具３の先端部側を開いて被ることが出来る。これに対して図５に示す保持具１６を備えたフェイスシールド１であれば、中央部１７を分離して開き、頭部６に被った後で中央部１７を連結することになる。
【００２４】
図６はシールド板２の形態を違わせたフェイスシールド１を表している具体例である。（ａ）は前記図１に示したフェイスシールド１と同じで、シールド板２ａは額から顎の領域を覆っている。
（ｂ）に示すフェイスシールド１のシールド板２ｂは目の周りを覆っている。
そして、（ｃ）に示すフェイスシールド１のシールド板２ｃは目の下側から顎の領域を覆っている。
【００２５】
本考案のフェイスシールド１はシールド板と保持具から成って、互いに組み合わせ可能な構造としている。したがって、図６に示すように、用途に応じて適切な形状のシールド板２を選択して使用することが出来る。
【符号の説明】
【００２６】
１   フェイスシールド
２   シールド板
３   保持具
４   空間
５   連結部
６   頭部
７   先端部
８   中央部
９   側部
10   係合突片
11   隙間
12   軸
13   嵌入穴
14   係合長穴
15   耳
16   保持具
17   中央部
18   凸部
19   凹部「
20   マグネット
【図１】
0003230024.tif 000003
【図２】
0003230024.tif 000004
【図３】
0003230024.tif 000005
【図４】
0003230024.tif 000006
【図５】
0003230024.tif 000007
【図６】
0003230024.tif 000008
【図７】
0003230024.tif 000009
【手続補正書】
【提出日】令和2年9月11日(2020.9.11)
【手続補正１】
【補正対象書類名】実用新案登録請求の範囲
【補正対象項目名】全文
【補正方法】変更
【補正の内容】
【実用新案登録請求の範囲】
【請求項１】
顔の正面にシールド板を備えて頭部に着用するフェスシールドにおいて、フェイスシールドは透明又は半透明な薄いプラスチック製のシールド板と保持具から成り、シールド板は両側端から連結部を延ばすと共に該連結部には複数の係合穴を設け、保持具は弾力性のある樹脂製又はβチタンやステンレスなどの金属製で概略Ｕ型を成し、先端部には複数の係合突片を設けて側部から中央部にかけて下方に湾曲し、上記係合突片を連結部に貫通して設けた係合穴に係合したことを特徴とするフェイスシールド。
【請求項２】
上記保持具は中央部にて分離可能な構造とし、各々の切口部には互いに引き合うマグネットを取付けた請求項１記載のフェイスシールド。
【請求項３】
上記係合穴は、先端部に設けた係合突片が嵌る嵌入穴と、係合突片が外れない寸法の係合長穴を該嵌入穴に連続して形成した請求項１、又は請求項２記載のフェイスシールド。
【手続補正書】
【提出日】令和2年10月26日(2020.10.26)
【手続補正１】
【補正対象書類名】実用新案登録請求の範囲
【補正対象項目名】全文
【補正方法】変更
【補正の内容】
【実用新案登録請求の範囲】
【請求項１】
顔の正面にシールド板を備えて頭部に着用するフェイスシールドにおいて、フェイスシールドは透明又は半透明な薄いプラスチック製のシールド板と保持具から成り、シールド板は両側端から連結部を延ばすと共に該連結部には複数の係合穴を設け、保持具は弾力性のある樹脂製又はβチタンやステンレスなどの金属製で概略Ｕ型を成し、先端部には複数の係合突片を設けて側部から中央部にかけて下方に湾曲し、上記係合突片を連結部に貫通して設けた係合穴に係合したことを特徴とするフェイスシールド。
【請求項２】
上記保持具は中央部にて分離可能な構造とし、各々の切口部には互いに引き合うマグネットを取付けた請求項１記載のフェイスシールド。
【請求項３】
上記係合穴は、先端部に設けた係合突片が嵌る嵌入穴と、係合突片が外れない寸法の係合長穴を該嵌入穴に連続して形成した請求項１、又は請求項２記載のフェイスシールド。